【手続補正書】
【提出日】平成23年11月18日(2011.11.18)
【手続補正１】
【補正対象書類名】明細書
【補正対象項目名】００３２
【補正方法】変更
【補正の内容】
【００３２】
【図１】事前曲げ処理したチェーン・リンクを示す図。
【図２】チェーンを形成するように互いに連結された、事前曲げ処理した複数のチェーン・リンクを示す図。
【図３】ここでは円周のリンクが溶接されておりそれにより溶接タイプのチェーンが形成されている、図２のチェーン・リンクを示す図。
【図４】線形摩擦溶接によって互いに連結され、閉じたチェーン・リンクを形成している２つのハーフ・リンクを示す図。
【図５】線形摩擦溶接によって互いに連結され、閉じたチェーン・リンクを形成している２つのハーフ・リンクを示す図。
【図６】本発明によるハーフ・リンクの別の形態を示す図。
【図７】図６に対応するハーフ・リンクを有する、本発明による溶接タイプのチェーンを示す図。
【図８】長さが違っている、本発明によるハーフ・リンクの形態の２つの異なる実施態様を示す図。
【図９】図８によるチェーン・リンクから構成されており、チェーン・リンクの１区間ごとの長さが異なっている、本発明によるチェーンを示す図。
【図１０】本発明によるハーフ・リンクの別の形態を示す図。
【図１１】図１０によるハーフ・リンクを含む、本発明によるチェーンの１実施形態を示す図。
【図１２】本発明によるハーフ・リンクの別の実施形態を示す図。
【図１３】図１２によるハーフ・リンクから作。
【手続補正２】
【補正対象書類名】明細書
【補正対象項目名】００３７
【補正方法】変更
【補正の内容】
【００３７】
しかし、図４および５に示すような相対的な線形運動により個々の端面２ａ、２ｂおよ
び２ａ’、２ｂ’を加熱することを目的としてチェーン・リンク部品５ａおよび５ｂが互いに相対的に線形運動する代わりに、２つのチェーン・リンク部品５ａおよび５ｂが適当な相対運動（すなわち、回転運動Ｆ’）をすることにより端面２ａ、２ｂおよび２ａ’、２ｂ上での相対運動を実現できる可能性もあり、その場合もやはり平坦な端面２ａ、２ｂおよび２ａ’、２ｂ’は軸方向Ｓにおいて互いに対して押圧される。このような回転運動Ｆ’の形態の相対運動は任意適当な形で引き起こされてよく、したがって、例えば、２つのチェーン・リンク部品５ａおよび５ｂのうちの一方がその位置に固定されてもう一方が相手に対して回転方向に振動するように運動させられてよい。しかし、互いに押圧されている端面２ａ、２ｂおよび２ａ’、２ｂ’で相対運動を引き起こすためにチェーン・リンク部品５ａ、５ｂの両方をそれぞれ互いに対して回転方向に運動させることも可能である。これは、基本的には、同方向の回転（ただし、回転速度は異なる）であってもよい。
【手続補正３】
【補正対象書類名】明細書
【補正対象項目名】００３８
【補正方法】削除
【補正の内容】
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】変更
【補正の内容】
【００４０】
図６は別の形態のチェーン・リンク部品５ａを示しており、このチェーン・リンク５ａはやはりハーフ・リンクの形態であり、チェーン・リンク１がその全域面に対して垂直の中心平面において分割されている状態に相当する。
【手続補正６】
【補正対象書類名】明細書
【補正対象項目名】００４１
【補正方法】変更
【補正の内容】
【００４１】
このようなチェーン・リンク部品５ａおよび５ｂを摩擦溶接することによって作られるチェーン３を図７に示した。
図３と図７とを比較するとすぐに分かるように、この２つの実施形態のチェーンでは、各チェーン・リンク１の個々の周方向においてそれぞれのチェーン・リンク１の溶接継手４が９０°ずれている。
【手続補正７】
【補正対象書類名】明細書
【補正対象項目名】００４３
【補正方法】変更
【補正の内容】
【００４３】
しかし、図３および６に示したチェーン３の実施形態の他に、各々のチェーン３において互いに連結されるチェーン・リンク１のすべてが同じ形状であるわけではない可能性も基本的には存在する。
【手続補正８】
【補正対象書類名】明細書
【補正対象項目名】００４４
【補正方法】変更
【補正の内容】
【００４４】
したがって、例えば図８では、ピッチのサイズが異なるチェーン・リンク１を作るようになされた２つのチェーン・リンク部品５ａおよび５ａ’（各々がハーフ・リンクの形態）が示されており、これらは、図９に示したようなチェーンの中で互いに交互に連結される。図８の左側に示したチェーン・リンク部品５ａはピッチｔ２を有するチェーン・リンク１を作るようになされており、図８の右側に示したチェーン・リンク部品５ａ’は大きいピッチｔ１を有するチェーン・リンク１’を作るようになされている。したがって、図９に示すような、個々のチェーン・リンク１および１’が交互に異なるレッグ長さを有するようなチェーン３が得られる。
【手続補正９】
【補正対象書類名】明細書
【補正対象項目名】００４５
【補正方法】変更
【補正の内容】
【００４５】
チェーン・リンク部品５ａのさらに別の形状を図１０に示した。このチェーン・リンク部品５ａから作ることができるチェーン・リンク１の外側の輪郭は長方形となる。
図１１のチェーン３が示しているように、このチェーン・リンク５ａの弓状部８の内側に形成される円形凹部９およびその端部に設けられるビード１０があることで、２つの連続するチェーン・リンク１が回転する場合、ビード１０と傾斜しているチェーン・リンク部品５ａの外側縁部とが協働することにより２つのチェーン・リンク１の角度が適切に維持される。
【手続補正１０】
【補正対象書類名】明細書
【補正対象項目名】００４６
【補正方法】変更
【補正の内容】
【００４６】
チェーン・リンク部品５ａの別の変形形態が図１２に示されており、このチェーン・リンク部品５ａは、後でチェーン内に応力が分布されたときに曲げられるのに適した湾曲形状となっており、それにより、チェーン・リンクの縁部ファイバ（ｅｄｇｅ  ｆｉｂｅｒ）内の引張応力を軽減することができる。このようなチェーン・リンク部品５ａから構成されたチェーン３が図１３に示されている。
【手続補正１１】
【補正対象書類名】明細書
【補正対象項目名】００４７
【補正方法】変更
【補正の内容】
【００４７】
また、図１０および１２から明らかなように、これらの図に示されているチェーン・リンク部品５ａ、５ｂは、ストランド材料として使用される場合、各々が、端面２ａ、２ｂのところで非円形のプロファイル断面を有している。しかし、これはもちろん単に一例を示しているにすぎず、ここでは、具体的には楕円形断面または円形断面などのように任意に丸みがつけられた別のプロファイル断面が使用されてよい。
【手続補正１２】
【補正対象書類名】明細書
【補正対象項目名】００４８
【補正方法】削除
【補正の内容】
【手続補正１３】
【補正対象書類名】明細書
【補正対象項目名】００４９
【補正方法】削除
【補正の内容】
【手続補正１４】
【補正対象書類名】明細書
【補正対象項目名】００５０
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５３
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
互いに連結され、かつ摩擦溶接によって連結される２つのチェーン・リンク部品（５ａ、５ｂ）から作られたチェーン・リンク（１）よりなる溶接されたラウンド・チェーンおよびプロファイル・チェーン（３）の製造方法であって、各チェーン・リンク（１）はで前記摩擦溶接がチェーン・リンク（１）の分割されている平面内にある溶接面に沿って線形摩擦溶接（Ｆ）として実施されることを特徴とする方法。
【請求項２】
ハーフ・リンクが前記チェーン・リンク部品（５ａ、５ｂ）として使用されることを特徴とする請求項１に記載の方法。
【請求項３】
異なるサイズのチェーン・リンク部品（５ａ’、５ｂ’）が各チェーン・リンク（１）に使用されることを特徴とする請求項１または２に記載の方法。
【請求項４】
異なる形状のチェーン・リンク部品（５ａ、５ｂ、５ａ’、５ｂ’）が使用されることを特徴とする請求項１乃至３のいずれか１項に記載の方法。
【請求項５】
異なるプロファイル断面を有するチェーン・リンク部品（５ａ、５ｂ、５ａ’、５ｂ’）が使用されることを特徴とする請求項４に記載の方法。
【請求項６】
焼結材料から作られたチェーン・リンク部品（５ａ、５ｂ、５ａ’、５ｂ’）が使用されることを特徴とする請求項１乃至５のいずれか１項に記載の方法。
【請求項７】
非鉄金属から作られたチェーン・リンク部品（５ａ、５ｂ、５ａ’、５ｂ’）が使用さ
れることを特徴とする請求項１乃至６のいずれか１項に記載の方法。
【請求項８】
摩擦溶接によって連結される２つのチェーン・リンク部品（５ａ、５ｂ）を備えたラウンド・チェーンまたはプロファイル・チェーン（３）のチェーン・リンクであって、チェーン・リンク部品（５ａ、５ｂ）がチェーン・リンク（１）の分割されている平面内にある溶接面に沿って線形摩擦溶接（Ｆ）により連結される  ことを特徴とするチェーン・リンク。
【請求項９】
前記チェーン・リンク部品（５ａ、５ｂ）が２つのハーフ・リンクであることを特徴とする請求項８に記載のチェーン・リンク。
【請求項１０】
前記チェーン・リンク部品（５ａ、５ｂ）が、異なる形状、具体的には異なるプロファイル断面を有することを特徴とする請求項８または９に記載のチェーン・リンク。
【請求項１１】
前記チェーン・リンク部品（５ａ、５ｂ）が焼結部品であることを特徴とする請求項８乃至１０のいずれか１項に記載のチェーン・リンク。
【請求項１２】
前記チェーン・リンク部品（５ａ、５ｂ）が炭素含有量が０．２５％を超える肌焼鋼または鍛鋼からなることを特徴とする請求項８乃至１０のいずれか１項に記載のチェーン・リンク。
【請求項１３】
前記チェーン・リンク部品（５ａ、５ｂ）が、錆びない鋼、オーステナイト鋼、マルテンサイト鋼、フェライト鋼またはレデブライト鋼からなることを特徴とする請求項８乃至１２のいずれか１項に記載のチェーン・リンク。
【請求項１４】
前記チェーン・リンク部品（５ａ、５ｂ）が熱プラスチックまたはプラスチック／金属複合材料からなることを特徴とする請求項８乃至１０のいずれか１項に記載のチェーン・リンク。
【請求項１５】
請求項８乃至１４のいずれか１項に記載のチェーン・リンク（１）から構成されるラウンド・チェーンまたはプロファイル・チェーン（３）。
【請求項１６】
互いに連結された各チェーン・リンク（５ａ、５ｂ）が異なる長さの区間（ｔ１、ｔ２）を有することを特徴とする請求項１５に記載のラウンド・チェーンまたはプロファイル・チェーン。
【手続補正１９】
【補正対象書類名】図面
【補正対象項目名】全図
【補正方法】変更
【補正の内容】
【図１】
2011506100.tif 000001
【図２】
2011506100.tif 000002
【図３】
2011506100.tif 000003
【図４】
2011506100.tif 000004
【図５】
2011506100.tif 000005
【図６】
2011506100.tif 000006
【図７】
2011506100.tif 000007
【図８】
2011506100.tif 000008
【図９】
2011506100.tif 000009
【図１０】
2011506100.tif 000010
【図１１】
2011506100.tif 000011
【図１２】
2011506100.tif 000012
【図１３】
2011506100.tif 000013